(57)【特許請求の範囲】
【請求項１】
円筒形状の一端面に突設された縁部を有する容器の当該縁部に被せることができる第１のキャップと、
前記縁部に引っ掛けて前記第１のキャップにより挟んで固定する第１のパーツと、
前記容器の他端側に被せる第２のキャップと、を有し、
前記第２のキャップに第２のパーツを取り付けることが可能であり、
前記第１のキャップ内部に前記第１のパーツおよび前記第２のパーツを収納して、前記第２のキャップで蓋をすることが可能な組立模型。
【請求項２】
円筒形状の一端面に突設された縁部を有する容器の当該縁部に被せることができる第１のキャップと、
前記縁部に引っ掛けて前記第１のキャップにより挟んで固定する第１のパーツと、を有し、
前記第１のパーツは、前記縁部に引っ掛ける引掛部と、クランク状の支持部と、前記支持部の先端において外側へ突出した球状の関節部と、を有する組立模型。
【請求項３】
請求項１または請求項２において、
前記第１のパーツが、前記容器に固定される固定部と、この固定部に対して可動な可動部を有する組立模型。
【請求項４】
請求項１乃至請求項３のいずれか一項において、
前記容器が、飲料缶である組立模型。
【請求項５】
請求項１乃至請求項４のいずれか一項において、
前記容器は、外周面に前記組立模型に対応した印刷が施されている容器である組立模型。
【発明の詳細な説明】
【技術分野】
【０００１】
本発明は、組立模型に関するものである。
【背景技術】
【０００２】
従来より、空き缶を利用した置物や貯金箱等が知られている。（特許文献１参照）。図８に示すように、特許文献１に記載の置物１００は、空缶１０１を利用したものである。空缶１０１の蓋板１０２面には、同じ形状および同じ大きさの被蓋板１０３が接着されており、この被蓋板１０３は一部に切口１０４が設けられている。この被蓋板１０３は、空缶１０１を貯金箱として使用する場合に用いるものである。空缶１０１の上側には、空缶１０１の上端部に嵌置する無蓋無底の円筒枠１０５を有しており、この円筒枠１０５の周面の一部には開口窓１０６が設けられている。円筒枠１０５の上面部には、上蓋板１０７が接着されており、この上蓋板１０７の中心部に通孔１０８を設ける。また、上蓋板１０７の上には、被覆板１１４が接着されている。
【０００３】
円筒枠１０５の内部には、無蓋無底の回転筒１０９が嵌合しており、この回転筒１０９の外周面の下半部分には、等間隔をおいて複数の異なる顔の表情１１０や自然の風景など任意の絵や写真や文字等が記載されている。回転筒１０９の内側は、下蓋板１１１が嵌挿されており、この下蓋板１１１の中心部に設けられている通孔１１２にピン１１３の先部を挿入するとともに上蓋板１０７の通孔１０８に挿入した後その先端を押圧して固定する。これにより、複数個の顔の表情や自然の風景など任意の絵や写真などを外周面に表わした回転筒１０９を指先で自在に回転することによって、円筒枠１０５の開口窓１０６に現わすことができる。
【先行技術文献】
【特許文献】
【０００４】
【特許文献１】実公平６−４４４７７号公報（第２図）
【発明の概要】
【発明が解決しようとする課題】
【０００５】
しかしながら、前述したような従来の置物１００においては、描かれた顔の表情や風景を表示するのみであり、空き缶１０１を利用した置物としては有効であるが、動きがないため変化に乏しく、玩具としては適さないという問題があった。
【０００６】
そこで、本発明は、上記の問題を鑑みてなされたものであり、飲料缶等の容器を利用して遊ぶことができるような組立模型を提供することを目的とする。
【課題を解決するための手段】
【０００７】
本発明の組立模型は、円筒形状の一端面に突設された縁部を有する容器の当該縁部に被せることができる第１のキャップと、前記縁部に引っ掛けて前記第１のキャップにより挟んで固定する第１のパーツと、前記容器の他端側に被せる第２のキャップと、を有し、前記第２のキャップに第２のパーツを取り付けることが可能であり、前記第１のキャップ内部に前記第１のパーツおよび前記第２のパーツを収納して、前記第２のキャップで蓋をすることが可能である。
【０００８】
また、本発明の組立模型は、円筒形状の一端面に突設された縁部を有する容器の当該縁部に被せることができる第１のキャップと、前記縁部に引っ掛けて前記第１のキャップにより挟んで固定する第１のパーツと、を有し、前記第１のパーツは、前記縁部に引っ掛ける引掛部と、クランク状の支持部と、前記支持部の先端において外側へ突出した球状の関節部と、を有する。
【００１０】
また、本発明の組立模型は、前記第１のパーツが、前記容器に固定される固定部と、この固定部に対して可動な可動部を有するものである。
【００１１】
また、本発明の組立模型は、前記容器が、飲料缶であるものである。
【００１２】
さらに、本発明の組立模型は、前記容器が、前記容器の外周面に組立模型に対応した印刷が施されているものである。
【発明の効果】
【００１３】
本発明に係る組立模型によれば、腕等の第１のパーツを容器の縁部に引っ掛け、第１のキャップを第１のパーツの上から容器に被せて第１のパーツを固定するので、第１のパーツを容器に容易に取り付けることができ、飲料缶等の容器を用いて、模型を組み立てて、遊ぶことができる。
【図面の簡単な説明】
【００１４】
【図１】（Ａ）は本発明にかかる第１実施形態の組立模型を前方から見た斜視図であり、（Ｂ）は後方から見た斜視図である。
【図２】（Ａ）は第１のキャップの斜視図であり、（Ｂ）は第２のキャップの斜視図であり、（Ｃ）は第１のプラキットの斜視図であり、（Ｄ）は第２のプラキットの斜視図であり、（Ｅ）は飲料缶の斜視図である。
【図３】本発明にかかる第１実施形態の組立模型の分解斜視図である。
【図４】肩関節部の斜視図である。
【図５】肩関節部を飲料缶に取り付けた状態を示す断面図である。
【図６】プラキットを第１のキャップおよび第２のキャップに収容する状態を示す分解斜視図である。
【図７】本発明にかかる第２実施形態の組立模型の斜視図である。
【図８】従来の飲料缶を用いた置物の分解斜視図である。
【発明を実施するための形態】
【００１５】
（第１実施形態）
以下、本発明に係る好適な第１実施形態について、図面を参照しながら説明する。図１ないし図３に示すように、本発明にかかる第１実施形態の組立模型１０は、円筒形状の一端面に突設された縁部１２を有する容器として例えば飲料缶１１を用いて人形やロボット等を構成するものである。飲料缶１１は、円筒形状の缶本体１３を有しており、缶本体１３の外周面には、構成するロボット等を表示する印刷を施すのが望ましい。
【００１６】
組立模型１０は、飲料缶１１の上面の縁部１２に嵌合する第１のキャップ２０と、縁部１２に引っ掛けて第１のキャップ２０により挟んで固定する第１のパーツ３０と、を有する。第１のキャップ２０は、例えば、ロボット等の頭部を構成するものであり、上端が閉じた略半球状の底部２１を有し、キャップ本体２２は円筒形状をしている。キャップ本体２２下端部の内径は、縁部１２の外径に対応しており、しっかりと嵌合させることができる。なお、第１のキャップ２０の底部２１には、飾り２３を付けることもできる。また、第１のキャップ２０は、飲料缶１１内部の飲料を注いで飲むカップとして使用することもできる。
【００１７】
図１および図３に示すように、第１のパーツ３０としては、固定部である肩関節部３１と、固定部に対して動く可動部である腕部３２とを有する腕を採用することができる。図４に示すように、肩関節部３１は、飲料缶１１の縁部１２に引っ掛ける引掛部３１１と、クランク状の支持部３１２と、支持部３１２の先端において外側へ突出した球状の関節３１３を有する。
【００１８】
図３に示すように、腕部３２は、肩３２１、上腕３２２、下腕３２３および手３２４を有する。肩３２１は、肩関節部３１の関節３１３が嵌合して回転可能に支持される。上腕３２２は、肩３２１に対して回転および揺動可能に支持される。下腕３２３は、上腕３２２に対して、回転および揺動可能に接続される。そして、下腕３２３の先端には、手３２４が回転および揺動可能に接続される。
【００１９】
図５に示すように、第１のパーツ３０を構成する肩関節部３１は、引掛部３１１を飲料缶１１の縁部１２に引っ掛けて、肩関節部３１の支持部３１２の外側（上側）から第１のキャップ２０を被せることにより、飲料缶１１と第１のキャップ２０との間に支持部３１２を挟んで、飲料缶１１に取り付けられる。
【００２０】
また、図１および図３に示すように、組立模型１０は、飲料缶１１の他端側である下端部に取り付ける第２のキャップ４０および第２のキャップ４０に取り付けられる第２のパーツ５０を有する。第２のキャップ４０は、円板状の底板４１（図２参照）と、この底板４１の外周に設けられた周壁４２から、有底の円筒形状に構成されている。底板４１の下面には、第２のパーツ５０を取り付けるために一対の突起４３，４３が設けられている。また、周壁４２には、周方向に所定の間隔で開口部４２１が設けられており、飲料缶１１の下部への装着を容易にするとともに、容易に脱落しないようになっている。第２のパーツ５０としては、例えば、足５１を採用することができる。足５１は、上面に嵌合孔５２を有しており、第２のキャップ４０の突起４３を嵌合孔５２に嵌合させることにより取り付ける。
【００２１】
図２（Ｃ）および（Ｄ）に示すように、第１のパーツ３０および第２のパーツ５０は、第１のプラキット１４および第２のプラキット１５に一体成形されている。すなわち、図２（Ｃ）に示すように、第１のプラキット１４では、第１のパーツ２０を構成する肩関節部３１、下腕３２３、手３２４および足５１がゲート１５１を介してランナー１５２に一体成形されている。また、図２（Ｄ）に示すように、第２のプラキット１５には、一対の肩３２１、３２１および一対の上腕３２２、３２２がゲート１５１を介してランナー１５２に一体成形されている。
【００２２】
図６に示すように、一対の第１のプラキット１４、１４および第２のプラキット１５は、第１のキャップ２０の内部に収容され、第２のキャップ４０で蓋をすることができる。なお、第１のプラキット１４および第２のプラキット１５に一体成形するパーツは、これに限るものではない。例えば、第１のプラキット１４には第１のパーツ３０のみを一体成形し、第２のプラキット１５には第２のパーツ５０のみを一体成形してもよい。
【００２３】
次に、組立模型１０の組み立て方について説明する。
図６に示すように、第１のキャップ２０と第２のキャップ４０に収容されている第１のプラキット１４、１４および第２のプラキット１５を取りだして、ゲート１４１、１５１を切断して各パーツをランナー１４２、１５２から切り離す。次に、図５に示すように、肩関節部３１の引掛部３１１を飲料缶１１の上面の縁部１２に引っ掛け、上から第１のキャップ２０を被せて肩関節部３１を飲料缶１１に固定する。肩関節部３１の関節３１３に、腕部３２の肩３２１を取付け、肩３２１に上腕３２２、下腕３２３、手３２４を取り付ける。なお、予め腕部３２を組み立てておいてから、肩３２１を肩関節部３１の関節３１３に取り付けることもできる。一方、飲料缶１１の下端部に第２のキャップ４０を取付け、底板４１の下面の突起４３に足５１を嵌める。なお、予め足５１を第２のキャップ４０の突起４３に取り付けておいてから、第２のキャップ４０を飲料缶１１に取り付けることもできる。
【００２４】
以上、説明した第１実施形態にかかる組立模型１０によれば、第１のパーツ３０である肩関節部３１等を飲料缶１１の縁部１２に引っ掛け、第１のキャップ２０を第１のパーツ３０の上から飲料缶１１に被せて第１のパーツ３０を固定するので、第１のパーツ３０を飲料缶１１に容易に取り付けることができる。
これにより、飲料缶１１等の容器を用いて、模型を組立、遊ぶことができる。
【００２５】
また、飲料缶１１の下端部に第２のキャップ４０を被せ、第２のキャップ４０に例えば足５１等の第２のパーツ５０を取り付けることにより、飲料缶１１に容易に第２のパーツ５０を取り付けることができる。
【００２６】
また、第１のパーツ３０および第２のパーツ５０を第１のキャップ２０の内部に収納して、第２のキャップ４０で蓋をすることにより、組立模型１０に必要な部品を一つにまとめることができる。
【００２７】
また、第１のパーツ３０は、固定部である肩関節部３１を飲料缶１１と第１のキャップ２０との間に固定して、可動部である腕部３２を肩関節部３１に可動状態で取り付けるので、腕部３２を動かして遊ぶことができる。
【００２８】
また、容器として飲料缶１１を用いるので、飲料缶１１の飲料を飲む前および飲んだ後でも飲料缶１１を用いて遊ぶことができる。
【００２９】
また、容器の外周面に施した印刷により、全体として一層人形やロボット等の雰囲気を出すことができる。
【００３０】
（第２実施形態）
次に、本発明にかかる第２実施形態の組立模型１０Ｂについて説明する。なお、前述した第１実施形態にかかる組立模型１０と共通する部位には同じ符号を付して、重複する説明を省略することとする。図７に示すように、第２実施形態にかかる組立模型１０Ｂでは、飲料缶１１等の容器を用いずに、肩関節部３１を第１実施形態の場合とは上下逆向きにして第１のキャップ２０に引っ掛け、第２のキャップ４０を第１のキャップ２０の内側に嵌合させることにより、肩関節部３１を固定する。そして、肩関節部３１に腕部３２を取り付けて、組み立てている。
【００３１】
以上、説明した第２実施形態にかかる組立模型１０Ｂによれば、飲料缶１１を用いずに、人形やロボット等を組み立てることができる。また、飲料缶１１を用いた場合とは異なる印象の組立模型１０Ｂを組み立てることができる。
【００３２】
以上、本発明の好ましい実施形態について詳述したが、本発明に係る組立模型１０、１０Ｂは、上述した実施形態に限定されるものではなく、特許請求の範囲に記載された本発明の要旨の範囲内において、種々の変形、変化が可能である。すなわち、前述した実施形態では、容器として飲料缶１１を採用した場合を例示したが、この他の容器を用いることもできる。
【符号の説明】
【００３３】
１０、１０Ｂ  組立模型
１１  飲料缶（容器）
１２  縁部
２０  第１のキャップ
３０  第１のパーツ
３１  肩関節部（固定部）
３２  腕部（可動部）
４０  第２のキャップ
５０  第２のパーツ
【図１】
0005364747.tif 000002
【図２】
0005364747.tif 000003
【図３】
0005364747.tif 000004
【図４】
0005364747.tif 000005
【図５】
0005364747.tif 000006
【図６】
0005364747.tif 000007
【図７】
0005364747.tif 000008
【図８】
0005364747.tif 000009